【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】 放射線放出要素を製造する方法であって、
耐放射線性の硬化可能な液体中に放射性同位体を含んでなる放射性流体を、流体ジェット印刷ヘッドから近接照射療法デバイスの表面上に堆積させるステップを備え、
前記硬化可能な液体がキャリア溶剤を含み、
前記流体が所定パターンで堆積される、
ことを特徴とする方法。
【請求項２】 前記耐放射線性の硬化可能な液体を硬化させるステップを更に備えることを特徴とする請求項１記載の方法。
【請求項３】 前記硬化可能な液体は結合剤を更に備え、前記硬化させるステップはポリマーを形成することによって行われることを特徴とする請求項２記載の方法。
【請求項４】 キャリア溶剤の蒸発によって硬化させるステップを更に備えることを特徴とする請求項２記載の方法。
【請求項５】 流体ジェット印刷ヘッドからの所定量の前記放射線流体が前記近接照射療法デバイスの前記表面上に堆積されることを特徴とする請求項１記載の方法。
【請求項６】 一連の放射線放出要素が特定のバッチの放射性流体から連続的に製造され、
次の近接照射療法デバイス上に堆積される放射性流体の量を、
先に製造された放射線放出要素上に前記流体ジェット印刷ヘッドによって堆積された放射性流体の量を示すパラメータを測定するステップと、
近接照射療法デバイス上に特定の測定量の前記パラメータを生成する前記放射性流体の量を計算するステップと、
前記量の放射性流体を近接照射療法デバイス上に与えるステップと、
によって決定することを備えることを特徴とする請求項１記載の方法。
【請求項７】 前記パラメータは、前記先に製造された放射線放出要素から放出された、電磁放射線、β線、又はα線であることを特徴とする請求項６記載の方法。
【請求項８】 前記所定パターンは複数の帯、点、又は領域を含むことを特徴とする請求項１記載の方法。
【請求項９】 前記近接照射療法デバイスは密封要素が固定される面を有しており、
前記密封要素の放射線減衰特性を測定するステップと、
それに続いて、前記密封要素の前記測定された放射線減衰特性を補償し、それにより前記密封要素の外に所望の放射場を生成するために、前記流体ジェット印刷ヘッドから前記近接照射療法デバイス上に堆積される前記放射性流体の量及び位置を前記測定値から計算するステップと、
それに続いて、計算されたとおり、前記流体ジェット印刷ヘッドからの放射性流体を前記近接照射療法デバイスの前記表面上における所定位置に所定量だけ堆積させるステップと、
前記放射性流体が堆積されている前記近接照射療法デバイスの前記表面上を覆って密封する位置に前記密封要素を固定するステップと、
を更に備えることを特徴とする請求項１記載の方法。
【請求項１０】 前記近接照射療法デバイスは円筒状チューブであり、前記放射性流体は前記円筒状チューブの外周面に堆積され、前記密封要素は、前記放射性流体が堆積されている前記円筒状チューブの前記表面上を覆って密封するように固定された円筒状要素であることを特徴とする請求項９記載の方法。
【請求項１１】 前記近接照射療法デバイスは近接照射療法用の支持要素であり、前記密封要素は放射線を実質的に透過させ、
前記放射性流体が堆積されている前記近接照射療法用支持要素の前記表面上を覆って密封するために、前記密封要素を前記近接照射療法用支持要素に結合するステップを更に備えることを特徴とする請求項１０記載の方法。
【請求項１２】 前記円筒状チューブの放射線減衰特性を測定するステップを更に備え、前記円筒状チューブと前記密封要素の両方の放射線特性の影響が前記計算に含まれることを特徴とする請求項１０記載の方法。
【請求項１３】 前記放射性同位体は、放射性粉体の形態、放射性複合体の形態、又は前記耐放射線性の硬化可能な液体に溶解可能な塩の形態であり、前記耐放射線性の硬化可能な液体は、熱、照射、又は触媒作用によって硬化可能であることを特徴とする請求項１記載の方法。
【請求項１４】 前記放射性流体は (NH3)4Pd(OH)2 の溶液を含み、
前記耐放射線性の硬化可能な液体は、アクリル樹脂又は珪酸ナトリウムである結合剤を含むことを特徴とする請求項１記載の方法。
【請求項１５】 前記放射性流体は放射性粉体を含み、該放射性粉体はこれに吸収された放射性ヨウ素又は放射性パラジウムを有しており、
前記耐放射線性の硬化可能な液体は、アクリル樹脂又は珪酸ナトリウムである結合剤を含むことを特徴とする請求項１記載の方法。
【請求項１６】 前記放射性流体は、Pd-103 を含有するパラジウム金属の懸濁粒子、又は Y-90 を含有する酸化イットリウムの懸濁粒子を含むことを特徴とする請求項１記載の方法。
【請求項１７】 放射性物質の個別の点を基材の表面上に堆積させる装置であって、
（ａ）流体ジェット印刷ヘッドと、
（ｂ）放射性流体を含んで分配するように適応され、前記流体ジェット印刷ヘッドへと通じる開口を有する貯蔵器と、
（ｃ）前記印刷ヘッドを前記基材に対して位置決め及び位置変更する手段と、
（ｄ）前記印刷ヘッド及び前記位置決め手段（ｃ）と連絡しており、前記基材上の所定位置に所定量の前記放射性流体を与えるよう、前記印刷ヘッド及び前記基材の相対位置を制御し、かつ、前記印刷ヘッドの fi を制御する計算手段と、
（ｅ）放射能を測定する手段と、
（ｆ）前記測定手段（ｅ）によって供給されたデータを受け入れ、前記データに従って、前記印刷ヘッドにより次に堆積される放射性流体の量を制御する計算手段と、
を備えることを特徴とする装置。
【請求項１８】 放射性物質の個別の点を基材の表面上に堆積させる装置であって、
（ａ）流体ジェット印刷ヘッドと、
（ｂ）放射性流体を含んで分配するように適応され、前記流体ジェット印刷ヘッドへと通じる開口を有する貯蔵器と、
（ｃ）前記印刷ヘッドを前記基材に対して位置決め及び位置変更する手段と、
（ｄ）前記印刷ヘッド及び前記位置決め手段（ｃ）と連絡しており、前記基材上の所定位置に所定量の前記放射性流体を与えるよう、前記印刷ヘッド及び前記基材の相対位置を制御し、かつ、前記印刷ヘッドの噴射を制御する計算手段と、
（ｅ）基材上に加わる放射能を測定する手段と、
（ｆ）前記測定手段（ｅ）によって供給されたデータを受け入れて前記計算手段（ｄ）にフィードバックし、前記印刷ヘッドにより次に堆積される放射性流体の量を制御する計算手段とを備えることを特徴とする装置。
【請求項１９】 （ｇ）前記基材に熱、照射、又は触媒作用を加えることによって、前記耐放射線性の硬化可能な液体を硬化させる硬化手段を更に備えることを特徴とする請求項１７記載の装置。
【請求項２０】 放射性物質の個別の点を基材の表面上に堆積させる装置であって、
（ａ）流体ジェット印刷ヘッドと、
（ｂ）放射性流体を含んで分配するように適応され、前記流体ジェット印刷ヘッドへと通じる開口を有する貯蔵器と、
（ｃ）前記印刷ヘッドを前記基材に対して位置決め及び位置変更する手段と、
（ｄ）前記印刷ヘッド及び前記位置決め手段（ｃ）と連絡しており、前記基材上の所定位置に所定量の前記放射性流体を与えるよう、前記印刷ヘッド及び前記基材の相対位置を制御し、かつ、前記印刷ヘッドの噴射を制御する計算手段と、
（ｅ）前記放射性物質を囲んで密封するよう、前記放射性流体の放射線を実質的に透過する被覆を前記基材上に施す被覆手段と、
を備えることを特徴とする装置。
【請求項２１】 前記放射性流体は、放射性同位体と、急速硬化可能な耐放射線性の硬化可能な液体とを含むことを特徴とする請求項１７記載の装置。
【請求項２２】 前記耐放射線性の硬化可能な液体は結合剤を含むことを特徴とする請求項２１記載の装置。
【請求項２３】  前記結合剤はアクリル樹脂又は珪酸ナトリウムである請求項２２記載の装置。
【請求項２４】 前記放射性同位体は、（ａ）放射線複合体の溶液の形態、（ｂ）放射性塩の溶液の形態、（ｃ）粉体上に吸着された放射性同位体の形態、又は（ｄ）本質的に１元素の放射性及び非放射性同位体からなる粉体の形態であることを特徴とする請求項２１記載の装置。
【請求項２５】 前記放射性流体は (NH3)4Pd(OH)2 の溶液を含むことを特徴とする請求項１７記載の装置。
【請求項２６】 前記放射性流体は粉体を含み、該粉体はこれに吸収された放射性ヨウ素又は放射性パラジウムを有していることを特徴とする請求項１７記載の装置。
【請求項２７】 放射性物質の個別の点を基材の表面上に堆積させる装置であって、
（ａ）流体ジェット印刷ヘッドと、
（ｂ）放射性流体を含んで分配するように適応され、前記流体ジェット印刷ヘッドへと通じる開口を有する貯蔵器と、
（ｃ）前記印刷ヘッドを前記基材に対して位置決め及び位置変更する手段と、
（ｄ）前記印刷ヘッド及び前記位置決め手段（ｃ）と連絡しており、放射能の検出量に応じて前記基材上の所定位置に所定量の前記放射性流体を与えるよう、前記印刷ヘッド及び前記基材の相対位置を制御し、かつ、前記印刷ヘッドの噴射を制御する計算手段と、
を備えることを特徴とする装置。
【請求項２８】 （ｇ）前記基材に熱、照射、又は触媒作用を加えることによって、前記耐放射線性の硬化可能な液体を硬化させる硬化手段を更に備えることを特徴とする請求項２７記載の装置。
【請求項２９】 （ｈ）前記放射性物質を囲んで密封するよう、前記放射性流体の放射線を実質的に透過する被覆を前記基材上に施す被覆手段を更に備えることを特徴とする請求項２７記載の装置。
【請求項３０】 前記放射性流体は、（ａ）放射線複合体の溶液の形態、（ｂ）放射性塩の溶液の形態、（ｃ）粉体上に吸着された放射性同位体の形態、又は（ｄ）本質的に１元素の放射性及び非放射性同位体からなる粉体の形態の放射性同位体と、急速硬化可能な耐放射線性の硬化可能な液体とを含むことを特徴とする請求項２７記載の装置。